【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  対物レンズを保持するレンズホルダと、
前記レンズホルダを前記対物レンズの光軸方向およびこの光軸方向に垂直な方向に弾性支持する第１の支持板と第２の支持板と、
前記レンズホルダと前記第１の支持板および第２の支持板とを連結する４本の弾性部材と、を有し、
前記レンズホルダは、前記第１の支持板と第２の支持板との略中央に配置され、前記第１の支持板および第２の支持板と前記４本の弾性部材との固定部が前記対物レンズの光軸方向と垂直な平面にて略同一高さとするとともに、前記第１の支持板および第２の支持板は前記弾性部材の長手方向に弾性を有することを特徴とする光学ヘッドアクチュエータ。
【請求項２】  請求項１に記載の光学ヘッドアクチュエータにおいて、
前記４本の弾性部材は、それぞれ弾性線材により形成し、この各弾性線材に前記第１の支持板および第２の支持板の弾性変位により、前記各弾性線材に長手方向のコンプライアンスを作用させるようにしたことを特徴とする光学ヘッドアクチュエータ。
【請求項３】  請求項１に記載の光学ヘッドアクチュエータにおいて、
前記４本の弾性部材をそれぞれ弾性線材として平板材によりリードフレーム状に同時に形成し、
前記レンズホルダが前記弾性線材により前記対物レンズを中心として平面的に両持ち支持されるように前記弾性線材と前記レンズホルダを一体成形したことを特徴とする光学ヘッドアクチュエータ。
【手続補正２】
【補正対象書類名】明細書
【補正対象項目名】０００２
【補正方法】変更
【補正の内容】
【０００２】
【従来の技術】
光学式情報記録再生装置（以下、光学ディスク装置という）は、回転駆動される光ディスク、光磁気ディスク等の円盤状光学記録媒体（以下、光学ディスクという）に対して、光学ピックアップ装置によりレーザ光を照射し、また、反射させてこの反射光を受光し、情報の記録再生を行うように構成されている。
【手続補正３】
【補正対象書類名】明細書
【補正対象項目名】０００５
【補正方法】変更
【補正の内容】
【０００５】
また、レンズホルダ３のトラッキング方向Ｔの両側壁にはサスペンション部材４の取付け部材１０が配設されている。この取付け部材１０はサスペンション部材４を構成する金属線４ａ，４ｂ，４ｃ，４ｄに対応して取付けブロック１０ａ，１０ｂ，１０ｃ，１０ｄに分割されており（なお、取付けブロック１０ｄは図に表われない）、この取付けブロック１０ａ〜１０ｄに金属線４ａ〜４ｄの一端がそれぞれ固定され、この金属線４ａ〜４ｄの他端はサスペンションホルダ５を貫通してピックアップベース１１に固定されている。ここで、サスペンションホルダ５の金属線貫通部には、金属線４ａ〜４ｄの共振を抑制するための粘弾性材１２が封入されている。
【手続補正４】
【補正対象書類名】明細書
【補正対象項目名】０００７
【補正方法】変更
【補正の内容】
【０００７】
このように構成される２軸アクチュエータ１においては、磁石６とヨーク７とによって形成される磁気回路と、この磁気回路の空隙中に位置するフォーカスコイル８とによりフォーカス方向Ｆに駆動力を持つ動電型変換器が構成され、また、磁気回路と、磁気回路の空隙中に位置するトラッキングコイル９とによりトラッキング方向Ｔに駆動力を持つ動電型変換器が構成されている。そして対物レンズ２を保持したレンズホルダ３は、フォーカスコイル８に流れる電流に応じてサスペンション部材４の金属線４ａ〜４ｄの弾性力に抗してフォーカス方向Ｆに並進運動し、また、トラッキングコイル９に流れる電流に応じて金属線４ａ〜４ｄの弾性力に抗してトラッキング方向Ｔに並進運動する。このようにして、レンズホルダ３は、対物レンズ２と一体にフォーカス駆動およびトラッキング駆動されて、対物レンズ２を通してレーザ光が回転駆動される光学ディスクの所定位置にスポット照射され記録又は再生が行われる。
【手続補正５】
【補正対象書類名】明細書
【補正対象項目名】００１１
【補正方法】変更
【補正の内容】
【００１１】
【課題を解決するための手段】
前記目的を達成するために本発明による光学ヘッドアクチュエータは、対物レンズを保持するレンズホルダと、レンズホルダを対物レンズの光軸方向およびこの光軸方向に垂直な方向に弾性支持する第１の支持板と第２の支持板と、レンズホルダと第１の支持板および第２の支持板とを連結する４本の弾性部材と、を有し、レンズホルダは、第１の支持板と第２の支持板との略中央に配置され、第１の支持板および第２の支持板と４本の弾性部材との固定部が対物レンズの光軸方向と垂直な平面にて略同一高さとするとともに、第１の支持板および第２の支持板は弾性部材の長手方向に弾性を有するように構成したものである。
【手続補正６】
【補正対象書類名】明細書
【補正対象項目名】００１２
【補正方法】変更
【補正の内容】
【００１２】
前記構成において、４本の弾性部材は、それぞれ弾性線材により形成し、この各弾性線材に前記第１の支持板および第２の支持板の弾性変位により、長手方向のコンプライアンスを作用させるように構成することができる。
【手続補正７】
【補正対象書類名】明細書
【補正対象項目名】００１３
【補正方法】変更
【補正の内容】
【００１３】
このように構成される光学ヘッドアクチュエータは、レンズホルダが弾性部材により対物レンズを中心に平面的に両持ち支持されるので、対物レンズは傾きが保証されて安定して支持され、所定の方向に確実に駆動される。
【手続補正８】
【補正対象書類名】明細書
【補正対象項目名】００１４
【補正方法】変更
【補正の内容】
【００１４】
そして、この構成において弾性部材には、長手方向のコンプライアンスが作用することによりレンズホルダの駆動が一層円滑に行えることになる。
【手続補正９】
【補正対象書類名】明細書
【補正対象項目名】００１５
【補正方法】変更
【補正の内容】
【００１５】
また、本発明の前記光学ヘッドアクチュエータは、４本の弾性部材をそれぞれ弾性線材として平板材によりリードフレーム状に同時に形成し、レンズホルダが弾性線材により対物レンズを中心として平面的に両持ち支持されるように弾性線材とレンズホルダを一体成形したものである。
【手続補正１０】
【補正対象書類名】明細書
【補正対象項目名】００１８
【補正方法】変更
【補正の内容】
【００１８】
この図１〜図４において、光学ヘッドアクチュエータとしての対物レンズ２軸アクチュエータの全体を符号２１で示す。この２軸アクチュエータ２１において、対物レンズ２２を略中央に保持するレンズホルダ２３は軽量で耐衝撃性を有する樹脂材により平面視四辺形状に成形されるもので、駆動用コイルの巻線ボビンを兼用しており、このレンズホルダ２３の外周壁に第１の巻線溝部２３ａが形成されて対物レンズ２２の光軸を中心としてフォーカスコイル２４が巻装され、一方向に相対する両外側壁にはそれぞれ一対の巻線枠部２３ｂ１，２３ｂ２ 及び２３ｂ３  ，２３ｂ４ が所要間隔を置いて形成されてトラッキングコイル２５が４つに分別まきされて巻装されている。また、このレンズホルダ２３にはトラッキングコイル２５の巻装側の両外側壁にそれぞれ平行してヨーク孔２６が形成されている。
【手続補正１１】
【補正対象書類名】明細書
【補正対象項目名】００２０
【補正方法】変更
【補正の内容】
【００２０】
このようにレンズホルダ２３と一体化されるサス取付け部材２７に弾性部材としてのサスペンション部材２９が取付けられている。この実施の形態におけるサスペンション部材２９は平面的に形成されてレンズホルダ２３を両側より支持するように構成されている。
【手続補正１２】
【補正対象書類名】明細書
【補正対象項目名】００３０
【補正方法】変更
【補正の内容】
【００３０】
この実施の形態の２軸アクチュエータ２１において、サスペンション部材２９は平面的配置であるため、平板材によりプレス加工やホトエッチング加工により弾性線材２９１〜２９４を同時に形成し、サス取付け部材２７をアウトサート成形することができるものである。
【手続補正１３】
【補正対象書類名】明細書
【補正対象項目名】００４４
【補正方法】変更
【補正の内容】
【００４４】
【発明の効果】
以上のように本発明による光学ヘッドアクチュエータは、対物レンズを保持するレンズホルダと、レンズホルダを対物レンズの光軸方向およびこの光軸方向に垂直な方向に弾性支持する第１の支持板と第２の支持板と、レンズホルダと第１の支持板および第２の支持板とを連結する４本の弾性部材と、を有し、レンズホルダは、第１の支持板と第２の支持板との略中央に配置され、第１の支持板および第２の支持板と４本の弾性部材との固定部が対物レンズの光軸方向と垂直な平面にて略同一高さとするとともに、第１の支持板および第２の支持板は弾性部材の長手方向に弾性を有するように構成したことにより、対物レンズは安定して支持されて傾きが確実に保証されて、対物レンズの光軸方向を所要点方向に常に正確に向けることができて対物レンズのフォーカス駆動およびトラッキング駆動を確実に行え、また、レンズホルダを支持する弾性支持部材は平面的に配置されることにより光学ヘッドアクチュエータの薄型化が可能になり、この光学ヘッドアクチュエータを備える光学系装置全体を薄型に構成することができ、特に光ディスク装置の光学ピックアップに用いてその効果が大である。
【手続補正１４】
【補正対象書類名】明細書
【補正対象項目名】００４５
【補正方法】変更
【補正の内容】
【００４５】
また、前述した構成において、弾性部材を弾性線材により形成し、この各弾性線材に第１の支持板および第２の支持板の弾性変位により、長手方向にコンプライアンスを作用させることになり、レンズホルダの前述した所要方向の安定した駆動動作を実現できる。
【手続補正１５】
【補正対象書類名】明細書
【補正対象項目名】００４６
【補正方法】変更
【補正の内容】
【００４６】
また、本発明の光学ヘッドアクチュエータは、前述した弾性部材の各弾性線材を弾性および導電性を保有する金属薄板材によりリードフレーム状に同時に形成し、この弾性線材に対してレンズホルダを、対物レンズを中心として平面的に両持ち支持されるように樹脂材により一体成形することによりレンズホルダに対する各弾性線材の位置関係が高精度化されてレンズホルダに保持される対物レンズの傾きが確実に保証される。